(57)【要約】【課題】放射線を曝射した曝射部位毎の被曝量を管理すること。【解決手段】実施形態の医用画像処理装置は、患者識別情報、撮影部位情報及び検査毎の被曝量情報を含む検査情報を有した医用画像情報を保管する保管装置と通信可能に接続された装置である。前記医用画像処理装置は、保管手段及び算出手段を備えている。前記保管手段は、撮影部位に対応し、撮影部位より詳細な曝射部位を示す曝射部位情報と、曝射部位における被曝量を推定するための被曝量変換情報とを関連付けて保管する。前記算出手段は、前記保管された医用画像情報内の撮影部位情報による撮影部位に対応した曝射部位に関する被曝量変換情報を用いて、曝射部位における被曝量を算出する。【選択図】図２
2015019856.tif 000002
【特許請求の範囲】
【請求項１】
患者識別情報、撮影部位情報及び検査毎の被曝量情報を含む検査情報を有した医用画像情報を保管する保管装置と通信可能に接続された医用画像処理装置であって、
撮影部位に対応し、撮影部位より詳細な曝射部位を示す曝射部位情報と、曝射部位における被曝量を推定するための被曝量変換情報とを関連付けて保管する保管手段と、
前記保管された医用画像情報内の撮影部位情報による撮影部位に対応した曝射部位に関する被曝量変換情報を用いて、曝射部位における被曝量を算出する算出手段と
を備えたことを特徴とする医用画像処理装置。
【請求項２】
請求項１に記載の医用画像処理装置において、
前記曝射部位情報と、前記算出した曝射部位における被曝量を示す曝射部位被曝量情報とが関連付けられた被曝情報を保管する被曝情報保管手段と、
前記算出手段による算出結果に基づいて前記被曝情報を生成すると共に、当該生成した被曝情報を前記被曝情報保管手段に書込む被曝情報記録手段と
を更に備えたことを特徴とする医用画像処理装置。
【請求項３】
請求項１または請求項２に記載の医用画像処理装置において、
前記保管手段は、
前記曝射部位情報及び前記被曝量変換情報に加えて、前記検査情報に含まれる各種情報であって、複数の被曝モデルを定義する各種情報を更に関連付けて保管することを特徴とする医用画像処理装置。
【請求項４】
請求項３に記載の医用画像処理装置において、
前記算出手段は、
前記患者識別情報の入力を受け付けると、当該患者識別情報を前記検査情報に含む医用画像情報を前記保管装置から取得する手段と、
前記取得した医用画像情報が有する検査情報を抽出する手段と、
前記抽出した検査情報に基づいて前記各被曝モデルから１つを選定する手段と、
前記選定した被曝モデルを定義する各種情報に関連付けられた曝射部位情報及び被曝量変換情報を前記保管手段から取得する手段と、
前記取得した被曝量変換情報と、前記抽出した検査情報内の被曝量情報とに基づいて、前記取得した曝射部位情報による曝射部位の被曝量を算出する被曝量算出手段と
を備えたことを特徴とする医用画像処理装置。
【請求項５】
請求項４に記載の医用画像処理装置において、
前記被曝量算出手段は、
前記取得した被曝量変換情報により示される重み係数と、前記抽出した検査情報内の被曝量情報により示される検査毎の被曝量とを積算し、前記取得した曝射部位情報による曝射部位の被曝量を算出することを特徴とする医用画像処理装置。
【請求項６】
請求項５に記載の医用画像処理装置において、
前記重み係数は、
１つの被曝モデルに対応する複数の曝射部位情報に関連付けられた複数の被曝量変換情報により示される重み係数の合計が１となるように設定されることを特徴とする医用画像処理装置。
【請求項７】
患者識別情報、撮影部位情報及び検査毎の被曝量情報を含む検査情報を有した医用画像情報を保管する保管装置と通信可能に接続された医用情報保管装置と医用情報利用装置とを含む医用画像処理システムであって、
前記医用情報保管装置は、
撮影部位に対応し、撮影部位より詳細な曝射部位を示す曝射部位情報と、曝射部位における被曝量を推定するための被曝量変換情報とを関連付けて保管する保管手段と、
前記保管された医用画像情報内の撮影部位情報による撮影部位に対応した曝射部位に関する被曝量変換情報を用いて、曝射部位における被曝量を算出する算出手段と
を備え、
前記医用情報利用装置は、
前記算出手段による所望の算出結果を表示装置に表示させる表示手段
を備えたことを特徴とする医用画像処理システム。
【発明の詳細な説明】
【技術分野】
【０００１】
本発明の実施形態は、医用画像処理装置及び医用画像処理システムに関する。
【背景技術】
【０００２】
近年、医療放射線量（以下、曝射量と表記）を管理するための環境整備が進められている。具体的には、医療被ばく研究情報ネットワーク（J-RIME）が設立されたり、ＩＨＥ（Integrating the Healthcare Enterprise）によってDoes Structure Report（Does SR）が定義されたりしている。
【０００３】
これに伴い、例えば、各種医用画像撮影装置（例、Ｘ線ＣＴ（Computed Tomography）装置、ＭＲＩ（Magnetic Resonance Imaging）装置、等）を用いて行われる検査毎の被曝線量（以下、単に被曝量と表記）及び一定期間の累積被曝量を管理する管理技術が開発されている。
【先行技術文献】
【特許文献】
【０００４】
【特許文献１】特開２００７−９７９０９号公報
【発明の概要】
【発明が解決しようとする課題】
【０００５】
しかしながら、以上のような管理技術では、上述したように、検査毎の被曝量及び一定期間の累積被曝量を管理することはできるが、放射線を曝射した曝射部位毎の被曝量を管理することはできないという不都合がある。
【０００６】
目的は、放射線を曝射した曝射部位毎の被曝量を管理し得る医用画像処理装置及び医用画像処理システムを提供することである。
【課題を解決するための手段】
【０００７】
実施形態の医用画像処理装置は、患者識別情報、撮影部位情報及び検査毎の被曝量情報を含む検査情報を有した医用画像情報を保管する保管装置と通信可能に接続された装置である。
【０００８】
前記医用画像処理装置は、保管手段及び算出手段を備えている。
【０００９】
前記保管手段は、撮影部位に対応し、撮影部位より詳細な曝射部位を示す曝射部位情報と、曝射部位における被曝量を推定するための被曝量変換情報とを関連付けて保管する。
【００１０】
前記算出手段は、前記保管された医用画像情報内の撮影部位情報による撮影部位に対応した曝射部位に関する被曝量変換情報を用いて、曝射部位における被曝量を算出する。
【図面の簡単な説明】
【００１１】
【図１】一実施形態に係る医用画像処理システムを含む医用システムの概略構成例を示す模式図である。
【図２】同実施形態に係る医用画像処理システムの概略構成例を示す模式図である。
【図３】同実施形態に係る被曝抽出情報のデータ構造の一例を示す模式図である。
【図４】同実施形態に係る被曝情報のデータ構造の一例を示す模式図である。
【図５】同実施形態に係る被曝情報を表示させたときの表示装置の画面の一例を示す模式図である。
【図６】同実施形態に係る医用画像処理システムによる被曝情報生成処理時の動作の一例を示すフローチャートである。
【発明を実施するための形態】
【００１２】
図１は、一実施形態に係る医用画像処理システムを含む医用システムの概略構成例を示す模式図であり、図２は、同実施形態に係る医用画像処理システムの概略構成例を示す模式図であり、図３は、同実施形態に係る被曝抽出情報のデータ構造の一例を示す模式図であり、図４は、同実施形態に係る被曝情報のデータ構造の一例を示す模式図であって、図５は、同実施形態に係る被曝情報を表示させたときの表示装置の画面の一例を示す模式図である。
【００１３】
図１に示すように、医用システムは、検査オーダシステム１、医用画像撮影システム２、医用画像システム３、読影レポートシステム４及び医用画像処理システム５を備えており、各システム１〜５はネットワーク（例、院内ネットワーク等）を介して接続される。なお、各システム１〜５の全てが所望の病院内に設置されるとしても良いし、各システム１〜５の一部だけが所望の病院内に設置され、その他のシステムは所望の病院外に設置されるとしても良い。
【００１４】
以下、各システム１〜５の詳細な構成とその機能について説明する。
【００１５】
検査オーダシステム１は、医用画像撮影システム２を利用して医用画像を撮影する検査のオーダに関する各種処理を実行するシステムであり、検査オーダ発行装置１１及び検査オーダ管理装置１２を更に備えている。なお、検査オーダシステム１は、一般に、ＲＩＳ（Radiology Information System）と称されるシステムである。
【００１６】
検査オーダ発行装置１１は、医師が患者に対して診察を行う診察室に設置される装置であって、医師（操作者）の操作に応じて、患者に対して行うべき検査に関する情報（以下、検査オーダと表記）を生成（発行）し、当該検査オーダを検査オーダ管理装置１２に送出する機能を有した装置である。検査オーダとは、上述したように、患者に対して行うべき検査に関する情報であり、例えば、患者を識別するための患者識別情報、患者名、患者に対して行う検査の方法、患者に対して行う検査の対象（検査部位）等、各種情報を含んだ情報である。但し、検査オーダに含まれる各種情報は、上述の情報だけに限定されるものではない。
【００１７】
検査オーダ管理装置１２は、検査オーダ発行装置１１から送出された検査オーダの入力を受け付けると、当該入力を受け付けた検査オーダを管理すると共に、当該検査オーダを医用画像撮影システム２に送出する機能を有した装置である。なお、ここでの「管理」とは、検査オーダ発行装置１１が適宜更新可能な状態で、また各システム１〜５が適宜読出可能な状態で検査オーダを保管することを意味する。
【００１８】
医用画像撮影システム２は、検査オーダシステム１から送出された検査オーダに従って、医用画像の撮影に関する各種処理を実行するシステムであり、医用画像撮影計画装置２１及び医用画像撮影装置２２を更に備えている。
【００１９】
医用画像撮影計画装置２１は、検査オーダ管理装置１２から送出された検査オーダの入力を受け付けると、当該入力を受け付けた検査オーダを図示しない表示装置（ディスプレイ）に表示させる機能を有した装置である。また、医用画像撮影計画装置２１は、放射線技師（操作者）の操作に応じて、医用画像撮影装置２２を利用して行う撮影の計画を示す撮影計画情報を生成すると共に、当該撮影計画情報を医用画像撮影装置２２に送出する機能を有した装置である。撮影計画情報とは、上述したように、医用画像撮影装置２２による撮影の計画を示す情報であり、例えば、患者識別情報、医用画像撮影装置２２を利用して行う検査を識別するための検査識別情報、患者名、撮影予定日、医用画像撮影装置の種別、撮影方法等、各種情報を含んだ情報である。但し、撮影計画情報に含まれる各種情報は、上述の情報だけに限定されるものではない。
【００２０】
医用画像撮影装置２２は、医用画像撮影計画装置２１から送出された撮影計画情報の入力を受け付けると、当該入力を受け付けた撮影計画情報を図示しない表示装置に表示させる機能を有した装置である。また、医用画像撮影装置２２は、図示しない表示装置に表示された撮影計画情報を参照した放射線技師（操作者）の操作に応じて、医学検査を行う、すなわち、患者の所望の部位を撮影し、当該所望の部位の医用画像情報を生成する機能を有した装置である。更に、医用画像撮影装置２２は、生成した医用画像情報を医用画像システム３に送出する機能を有した装置である。なお、医用画像撮影装置２２の具体例としては、例えば、Ｘ線ＣＴ装置、ＭＲＩ装置、ＣＲ（Computed Radiography）装置、超音波診断装置、Ｘ線ＣＴアンギオ装置、ＳＰＥＣＴ／ＰＥＴ装置等、が挙げられる。
【００２１】
また、医用画像情報は、画像検査分野における標準規格のいわゆるＤＩＣＯＭ（Digital Imaging Communications and Medicine）に準拠したものであり、ＤＩＣＯＭ情報（以下、検査情報又は付帯情報とも表記）を有している。検査情報とは、医用画像情報の特徴を示す情報であり、例えば、患者識別情報、検査識別情報、医用画像情報を生成した機器の種別を示すモダリティ情報、撮影部位を示す撮影部位情報、患者（被検体）の性別を示す性別情報、画像側性を示す画像側性情報、Ｘ線の曝射方向を示す曝射方向情報（上述した撮影計画情報から推定することも可能）、医用画像情報を生成する際の検査における患者の被曝量（検査毎の被曝量）を示す被曝量情報（なお、被曝量情報は、医用画像情報を生成するのに要した曝射量を示す曝射量情報に適宜置換可能）等、各種情報を含んだ情報である。但し、検査情報に含まれる各種情報は、上述の情報だけに限定されるものではない。本実施形態では、医用画像情報はＤＩＣＯＭに準拠したものであるとするが、これに限定されず、適宜既成の標準規格を適用しても良い。
【００２２】
医用画像システム３は、医用画像保管装置３１及び医用画像観察装置３２を更に備えている。なお、医用画像システム３は、一般に、ＰＡＣＳ（Picture and Archiving Communication System）と称されるシステムである。
【００２３】
医用画像保管装置３１は、医用画像撮影装置２２から送出された医用画像情報の入力を受け付けると、当該入力を受け付けた医用画像情報を当該装置内の図示しないメモリ等に書込み、当該医用画像情報を保管する機能を有した装置である。なお、医用画像情報は、各システム１〜５が適宜読出可能な状態で、医用画像保管装置３１に保管される。
【００２４】
医用画像観察装置３２は、読影医（操作者）の操作に応じて、医用画像保管装置３１に保管された医用画像情報を読出し、当該医用画像情報を図示しない表示装置に表示させる機能を有した装置である。
【００２５】
読影レポートシステム４は、読影医（操作者）の操作に応じて、医用レポートの生成に関する各種処理を実行するシステムであり、医用レポート保管装置４１及び医用レポート作成装置４２を更に備えている。
【００２６】
医用レポート保管装置４１は、後述する医用レポート作成装置４２によって生成される医用レポート情報の入力を受け付けると、当該入力を受け付けた医用レポート情報を当該装置内の図示しないメモリ等に書込み、当該医用レポート情報を保管する機能を有した装置である。なお、医用レポート情報は、各システム１〜５が適宜読出可能な状態で、医用レポート保管装置４１に保管される。
【００２７】
医用レポート作成装置４２は、読影医（操作者）の操作に応じて、読影医が医用画像観察装置３２を介して医用画像情報を観察した結果を示す医用レポート情報を生成すると共に、医用レポート保管装置４１に送出する機能を有した装置である。また、医用レポート作成装置４２は、読影医の操作に応じて、医用レポート保管装置４１に保管された医用レポート情報を読出し、当該医用レポート情報を図示しない表示装置に表示させる機能を有した装置である。
【００２８】
医用画像処理システム５は、医用情報保管装置５１及び医用情報利用装置５２を更に備えている。なお、医用画像処理システム５は、図２に示すように、医用情報保管装置５１及び医用情報利用装置５２の各種機能を１つの装置にもたせた医用画像処理装置として実現させることも可能である。
【００２９】
医用情報保管装置５１は、図２に示すように、被曝抽出情報保管部５１ａ、被曝情報保管部５１ｂ、医用画像取得部５１ｃ、検査情報抽出部５１ｄ、被曝情報生成部５１ｅ、被曝抽出情報抽出部５１ｆ、被曝情報取得要求受信部５１ｇ及び被曝情報送信部５１ｈを更に備えている。以下に、各部５１ａ〜５１ｈの詳細な機能について説明する。
【００３０】
被曝抽出情報保管部５１ａは、図３に示すように、検査情報に含まれる各種情報と、検査情報に含まれる撮影部位情報により示される撮影部位より細かな粒度でＸ線が曝射された部位（すなわち、撮影部位より詳細な部位）（以下、曝射部位と表記）を示す曝射部位情報と、曝射部位の各々に対応するように設定された重み係数（曝射部位における被曝量を推定するための被曝量変換情報）とが関連付けられた被曝抽出情報を保管する保管装置（記憶装置）である。
【００３１】
被曝抽出情報内の検査情報に含まれる各種情報は、後述する被曝情報を生成する際に利用される被曝モデルを定義する。被曝モデルとは、誰が、どのようなモダリティで、どのような撮影部位を、どのようにして撮影したのかを示すものである。上述した曝射部位情報及び重み係数は、この被曝モデルに対応するようにして予め設定される。
【００３２】
例えば、図３に示すように、被曝モデルａは、男性が、ＣＲ装置（図３中では、一般撮影と表記）で、胸部を、前方から撮影した場合の被曝モデルであり、この被曝モデルに対応するようにして、（例、肺、心臓、甲状腺等を示す）曝射部位情報と重み係数とが設定されている。なお、被曝モデルａを定義するにあたり、画像側性情報により示される（検査単位の）画像側性は「Ｎ／Ａ（not applicable：該当なし）」となっているが、これはＣＲ装置が胸部全体を一方向から撮影する装置である、すなわち、左右を考慮する必要がない装置である（左胸と右胸とを各々撮影する装置でない）ためである。
【００３３】
被曝モデルｂは、女性が、ＣＲ装置で、胸部を、前方から撮影した場合の被曝モデルであり、この被曝モデルに対応するようにして、（例、肺、心臓、左乳房等を示す）曝射部位情報と重み係数とが設定されている。上述した被曝モデルａと被曝モデルｂとでは、性別情報により示される性別が異なるだけであるが、各被曝モデルａ，ｂに対応する曝射部位情報は異なっている。これは女性の場合、乳癌の可能性を考慮する必要があることに起因して、乳腺の被曝を十分に考慮する必要があるためである。このため、被曝モデルａに対応する曝射部位情報には乳房が含まれていないのに対し、被曝モデルｂに対応する曝射部位情報には（左）乳房が含まれている。
【００３４】
被曝モデルｃは、男性が、ＣＲ装置で、胸部を、後方から撮影した場合の被曝モデルであり、この被曝モデルに対応するようにして、（例、肺、心臓、甲状腺等を示す）曝射部位情報と重み係数とが設定されている。上述した被曝モデルａと被曝モデルｃとでは、曝射方向情報により示される曝射方向が異なるだけであるが、各被曝モデルａ，ｃに対応する重み係数は異なっている。これは、複数の物質が順番に並んでいる環境をＸ線が通過する場合、物質毎のＸ線の被曝量は、物質のＸ線吸収率とＸ線が曝射される順番によることに起因して、Ｘ線が曝射される曝射部位の順番を考慮する必要があるためである。このため、例えば、被曝モデルａに対応する曝射部位情報により示される肺は、重み係数が０．３０であるのに対し、被曝モデルｃに対応する曝射部位情報により示される肺は、重み係数が０．２０となっている。
【００３５】
被曝モデルｄは、女性が、マンモグラフィで、胸部を撮影した場合の被曝モデルであり、この被曝モデルに対応するようにして、（例、左乳腺、左乳房（脂肪）等を示す）曝射部位情報と重み係数とが設定されている。なお、被曝モデルｄを定義するにあたり、曝射方向情報により示される曝射方向は「Ｎ／Ａ」となっているが、これはマンモグラフィが前方方向から胸部を撮影する装置である、すなわち、曝射方向を考慮する必要がない装置である（後方方向から胸部を撮影する装置でない）ためである。また、被曝モデルｄを定義するにあたり、上述した被曝モデルａ〜被曝モデルｃとは異なり、画像側性情報により示される画像側性が「Ｎ／Ａ」ではなく「Ｌ（Left）」となっているが、これはマンモグラフィが、ＣＲ装置とは異なり、通常、左乳房と右乳房とを各々撮影する装置である、すなわち、画像側性を考慮する必要がある装置であるためである。
【００３６】
被曝モデルｅは、女性が、マンモグラフィで、胸部を撮影した場合の被曝モデルであり、この被曝モデルに対応するようにして、（例、右乳腺等を示す）曝射部位情報と重み係数とが設定されている。なお、被曝モデルｅを定義するにあたり、画像側性情報により示される画像側性が「Ｎ／Ａ」ではなく「Ｒ（Right）」となっているが、これは上述と同様に、マンモグラフィが、画像側性を考慮する必要がある装置であるためである。
【００３７】
被曝モデルｆは、男性が、Ｘ線ＣＴ装置で、頭部を撮影した場合の被曝モデルであり、この被曝モデルに対応するようにして、（例、脳、眼球等を示す）曝射部位情報と重み係数とが設定されている。なお、被曝モデルｅを定義するにあたり、画像側性情報により示される画像側性と、曝射方向情報により示される曝射方向とは各々「Ｎ／Ａ」となっているが、これはＸ線ＣＴ装置が被検体の体軸を軸として３６０°方向（全方向）からほぼ均等にＸ線を曝射する装置である、すなわち、画像側性及び曝射方向を考慮する必要がない装置であるためである。
【００３８】
本実施形態では、被曝モデルの一例として、図３に示すように、被曝モデルａ〜被曝モデルｆが定義されているとしたが、被曝モデルは、上述した被曝モデルａ〜被曝モデルｆに特に限定されるものではない。
【００３９】
なお、重み係数は、以下に示す（１）式に従って、１つの被曝モデルにおける重み係数の合計、すなわち、１つの被曝モデルに対応する複数の曝射部位情報に関連付けられた複数の重み係数の合計が１になるように設定される。
【数１】
2015019856.tif 000003
【００４０】
なお、上述の（１）式において、Ｗ（ｎ）は重み係数を示し、Ｎは被曝モデルに対応するようにして設定された曝射部位の数を示し、ｎは被曝モデルに対応するようにして設定された複数の曝射部位のうち、ｎ番目の曝射部位であることを示す。
【００４１】
被曝情報保管部５１ｂは、後述する被曝情報を保管する保管装置である。被曝情報とは、図４に示すように、患者を識別するための患者識別情報、患者に対して行われた検査を識別するための検査識別情報、曝射部位を示す曝射部位情報及び曝射部位の被曝量を示す曝射部位被曝量情報が関連付けられた情報である。また、被曝情報保管部５１ｂは、後述する被曝情報取得要求受信部５１ｇから送出される患者識別情報の入力を受け付けると、当該入力を受け付けた患者識別情報を含む被曝情報を、後述する被曝情報送信部５１ｈに送出する機能を有する。
【００４２】
医用画像取得部５１ｃは、操作者の操作に応じて、医用画像保管装置３１に保管された医用画像情報を取得する機能を有する。具体的には、医用画像取得部５１ｃは、操作者が操作する図示しない入力インタフェース（例、マウス、キーボード、タッチパネル等）からの患者識別情報の入力を受け付けると、当該入力を受け付けた患者識別情報を検査情報として含む医用画像情報を取得する。
【００４３】
検査情報抽出部５１ｄは、医用画像取得部５１ｃにより取得された医用画像情報から検査情報を抽出する機能を有する。例えば、本実施形態では、検査情報が、患者識別情報、検査識別情報、モダリティ情報、撮影部位情報、性別情報、画像側性情報、曝射方向情報及び被曝量情報を含んでいるとしたので、検査情報抽出部５１ｄは、これら各種情報を含んだ検査情報を抽出する。
【００４４】
被曝情報生成部５１ｅは、検査情報抽出部５１ｄによって抽出された検査情報に含まれる各種情報に基づいて、被曝抽出情報保管部５１ａから被曝モデルを選定する機能を有する。また、被曝情報生成部５１ｅは、被曝抽出情報抽出部５１ｆを介して、被曝抽出情報保管部５１ａから選定した被曝モデルに関する曝射部位情報と重み係数とを取得する機能を有する。更に、被曝情報生成部５１ｅは、被曝抽出情報抽出部５１ｆを介して取得した曝射部位情報及び重み係数と、検査情報抽出部５１ｄによって抽出された検査情報と、以下に示す（２）式とに基づいて、曝射部位毎の被曝量を算出し、当該算出結果に基づいて、曝射部位被曝量情報を生成する機能を有する。
【数２】
2015019856.tif 000004
【００４５】
なお、上述の（２）式において、Ｅ（ｎ）は曝射部位毎の被曝量を示し、Ｓは検査情報に含まれる被曝量情報により示される被曝量を示し、Ｗ（ｎ）は重み係数を示し、ｎは被曝モデルに対応するようにして設定された複数の曝射部位のうち、ｎ番目の曝射部位であることを示す。
【００４６】
また、被曝情報生成部５１ｅは、生成した曝射部位被曝量情報と、取得した曝射部位情報と、検査情報抽出部５１ｄによって抽出された検査情報とに基づいて、被曝情報を生成する機能を有する。更に、被曝情報生成部５１ｅは、生成した被曝情報を被曝情報保管部５１ｂに書込む機能を有する。
【００４７】
被曝抽出情報抽出部５１ｆは、上述したように、被曝情報生成部５１ｅからの要求に応じて、被曝抽出情報保管部５１ａから曝射部位情報と重み係数とを抽出し、抽出した曝射部位情報と重み係数とを被曝情報生成部５１ｅに送出する機能を有する。
【００４８】
被曝情報取得要求受信部５１ｇは、後述する被曝情報取得要求送信部５２ｂから送信された被曝情報取得要求の入力を受け付けると、当該入力を受け付けた被曝取得要求に含まれる患者識別情報を被曝情報保管部５１ｂに送出する機能を有する。
【００４９】
被曝情報送信部５１ｈは、被曝情報保管部５１ｂから送出された被曝情報の入力を受け付けると、後述する被曝情報受信部５２ｃに送信する機能を有する。
【００５０】
医用情報利用装置５２は、図２に示すように、ユーザ入力部５２ａ、被曝情報取得要求送信部５２ｂ、被曝情報受信部５２ｃ及び被曝情報表示部５２ｄを更に備えている。
【００５１】
ユーザ入力部５２ａは、操作者が操作する図示しない入力インタフェース（例、マウス、キーボード、タッチパネル等）からの患者識別情報の入力を受け付けると、当該入力を受け付けた患者識別情報を被曝情報取得要求送信部５２ｂに送出する機能を有する。
【００５２】
被曝情報取得要求送信部５２ｂは、ユーザ入力部５２ａから送出された患者識別情報の入力を受け付けると、当該入力を受け付けた患者識別情報と共に、当該患者識別情報により識別される患者の被曝情報を取得したい旨の被曝情報取得要求を被曝情報取得要求受信部５１ｇに送信する。
【００５３】
被曝情報受信部５２ｃは、被曝情報送信部５１ｈから送信された被曝情報の入力を受け付けると、当該入力を受け付けた被曝情報を後述する被曝情報表示部５２ｄに送出する機能を有する。
【００５４】
被曝情報表示部５２ｄは、被曝情報受信部５２ｃから送出された被曝情報の入力を受け付けると、例えば、図５に示すように、当該入力を受け付けた被曝情報を図示しない表示装置に表示させる機能を有する。図５の例は、縦軸が曝射部位毎の被曝量［ｍＳｖ］を示し、横軸が細かい粒度の曝射部位（臓器や組織）を示すグラフを、図示しない表示装置に表示させたときの表示装置の画面の一例を示す。なお、図示しない表示装置には、過去全ての被曝情報を表示させても良いが、例えば、所望の期間（例、１年等）の被曝情報だけを表示させるとしても良い。また、横軸が細かい粒度の曝射部位ではなく、日付を示すように設定することで、細かい粒度の曝射部位の被曝量の推移を表示させるとしても良い。更に、所定の値以上の被曝量は被検体（患者）に対して悪影響を及ぼしかねないため、曝射部位毎に閾値を表示させるとしても良い。
【００５５】
なお、上述した医用情報保管装置５１及び医用情報利用装置５２は、それぞれ図示しないＣＰＵ（Central Processing Unit）を備えており、各部はこのＣＰＵによって制御されているものとする。
【００５６】
次に、以上のように構成された医用画像処理システムによる被曝情報生成処理時の動作の一例について、図３及び図４の模式図と、図６のフローチャートとを参照しながら説明する。なお、以下に示す各種処理は、図示しないＣＰＵが予め記憶されたプログラムに従って各部を制御することで実行されるものである。但し、以下の説明中では、説明の便宜上、“Ａを示すＢ情報”を“Ｂ情報「Ａ」”と表記する。
【００５７】
始めに、医用画像取得部５１ｃは、操作者の操作に応じて、医用画像保管装置３１に保管された医用画像情報を取得する（ステップＳ１）。ここでは、医用画像取得部５１ｃは、操作者の操作に応じて、図示しない入力インタフェースから患者識別情報「Ａ」の入力を受け付け、当該患者識別情報を検査情報に含む医用画像情報を医用画像保管装置３１から取得したものとする。
【００５８】
続いて、検査情報抽出部５１ｄは、医用画像取得部５１ｃによって取得された医用画像情報に含まれる検査情報を抽出する（ステップＳ２）。ここでは、検査情報抽出部５１ｄは、患者識別情報「Ａ」、検査識別情報「１」、モダリティ情報「一般撮影」、撮影部位情報「胸部」、性別情報「男」、画像側性情報「Ｎ／Ａ」、曝射方向情報「前方」及び被曝量情報「１００」を含む検査情報を抽出したものとする。
【００５９】
次に、被曝情報生成部５１ｅは、検査情報抽出部５１ｄによって抽出された検査情報に含まれる各種情報に基づいて、被曝抽出情報保管部５１ａから被曝モデルを選定する（ステップＳ３）。ここでは、被曝情報生成部５１ｅは、抽出された検査情報に含まれるモダリティ情報「一般撮影」、撮影部位情報「胸部」、性別情報「男性」、画像側性情報「Ｎ／Ａ」及び曝射方向情報「前方」に基づいて、被曝モデルとして「被曝モデルａ」を選定したものとする。
【００６０】
続いて、被曝情報生成部５１ｅは、被曝抽出情報抽出部５１ｆを介して、被曝抽出情報保管部５１ａから選定した被曝モデルに関する曝射部位情報と重み係数とを取得する（ステップＳ４）。ここでは、被曝情報生成部５１ｅは、「被曝モデルａ」に関する曝射部位情報「肺」、「心臓」及び「甲状腺」と、これら曝射部位情報に各々対応する重み係数「０．２０」、「０．２１」及び「０．１０」を取得したものとする。
【００６１】
次に、被曝情報生成部５１ｅは、取得した曝射部位情報及び重み係数と、検査情報抽出部５１ｄによって抽出された検査情報とに基づいて、曝射部位毎の被曝量を算出し、当該算出結果に基づいて、曝射部位被曝量情報を生成する（ステップＳ５）。ここでは、被曝情報生成部５１ｅは、上述の（２）式に基づいて、曝射部位毎の被曝量を算出する。具体的には、被曝情報生成部５１ｅは、取得した曝射部位情報「肺」及び重み係数「０．２０」と、検査情報に含まれる被曝量情報「１００」とに基づいて、肺の被曝量「２０（＝１００×０．２０）」を算出し、この肺の被曝量「２０」を示す曝射部位被曝量情報を生成する。同様に、被曝情報生成部５１ｅは、取得した曝射部位情報「心臓」及び重み係数「０．２１」と、検査情報に含まれる被曝量情報「１００」とに基づいて、心臓の被曝量「２１（＝１００×０．２１）」を算出し、この心臓の被曝量「２１」を示す曝射部位被曝量情報を生成する。更に、被曝情報生成部５１ｅは、取得した曝射部位情報「甲状腺」及び重み係数「０．１０」と、検査情報に含まれる被曝量情報「１００」とに基づいて、甲状腺の被曝量「１０（＝１００×０．１０）」を算出し、この甲状腺の被曝量「１０」を示す曝射部位被曝量情報を生成する。
【００６２】
続いて、被曝情報生成部５１ｅは、生成した曝射部位被曝量情報と、取得した曝射部位情報と、検査情報抽出部５１ｄによって抽出された検査情報とに基づいて、被曝情報を生成する（ステップＳ６）。ここでは、被曝情報生成部５１ｅは、検査情報に含まれる患者識別情報「Ａ」及び検査識別情報「１」と、曝射部位情報「肺」と、曝射部位被曝量情報「２０」とが関連付けられた被曝情報を生成する。同様に、被曝情報生成部５１ｅは、検査情報に含まれる患者識別情報「Ａ」及び検査識別情報「１」と、曝射部位情報「心臓」と、曝射部位被曝量情報「２１」とが関連付けられた被曝情報を生成する。更に、被曝情報生成部５１ｅは、検査情報に含まれる患者識別情報「Ａ」及び検査識別情報「１」と、曝射部位情報「甲状腺」と、曝射部位被曝量情報「１０」とが関連付けられた被曝情報を生成する。
【００６３】
しかる後、被曝情報生成部５１ｅは、生成した被曝情報を被曝情報保管装置５１ｂに書込み（ステップＳ７）、本動作例での動作を終了させる。
【００６４】
以上説明した一実施形態によれば、医用画像情報が有する検査情報と、選定された被曝モデルに対応するように設定された曝射部位情報及び重み係数と、上述の（２）式とに基づいて、曝射部位毎の被曝量を算出する被曝情報生成部５１ｅを備えた構成により、放射線を曝射した曝射部位毎の被曝量を管理することができる。
【００６５】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…検査オーダシステム、２…医用画像撮影システム、３…医用画像システム、４…読影レポートシステム、５…医用画像処理システム、１１…検査オーダ発行装置、１２…検査オーダ管理装置、２１…医用画像撮影計画装置、２２…医用画像撮影装置、３１…医用画像保管装置、３２…医用画像利用装置、４１…医用レポート保管装置、４２…医用レポート作成装置、５１…医用情報保管装置、５１ａ…被曝抽出情報保管部、５１ｂ…被曝情報保管部、５１ｃ…医用画像取得部、５１ｄ…検査情報抽出部、５１ｅ…被曝情報生成部、５１ｆ…被曝抽出情報抽出部、５１ｇ…被曝情報取得要求受信部、５１ｈ…被曝情報送信部、５２…医用情報利用装置、５２ａ…ユーザ入力部、５２ｂ…被曝情報取得要求送信部、５２ｃ…被曝情報受信部、５２ｄ…被曝情報表示部。
【図１】
2015019856.tif 000005
【図２】
2015019856.tif 000006
【図３】
2015019856.tif 000007
【図４】
2015019856.tif 000008
【図５】
2015019856.tif 000009
【図６】
2015019856.tif 000010